(57)【要約】【課題】視覚障害のある人や印字内容の判読が困難な人などでも、分包紙の印字内容を的確に把握確認できる薬剤分包装置を提供すること。【解決手段】所定量の薬剤が包装される分包紙に、少なくとも包装される薬剤の処方を含む分包紙の印字内容を表す文字列がコード化された二次元コードを印刷するコード印刷手段と、この二次元コードから包装される薬剤の処方を表す文字列を光学的に読み取る二次元コード読取手段と、この二次元コード読取手段の文字列読取出力を音声情報に変換して出力する音声情報変換手段、を含むことを特徴とする薬剤分包装置。【選択図】図１
2009050672.tif 000002
【特許請求の範囲】
【請求項１】
所定量の薬剤が包装される分包紙に、少なくとも包装される薬剤の処方を含む分包紙の印字内容を表す文字列がコード化された二次元コードを印刷するコード印刷手段と、
この二次元コードから包装される薬剤の処方を表す文字列を光学的に読み取る二次元コード読取手段と、
この二次元コード読取手段の文字列読取出力を音声情報に変換して出力する音声情報変換手段、
を含むことを特徴とする薬剤分包装置。
【請求項２】
前記二次元コードは、ＳＰコードであることを特徴とする請求項１記載の薬剤分包装置。
【請求項３】
前記コード印刷手段は前記二次元コードを任意の拡大率で拡大印刷し、前記二次元コード読取手段は拡大印刷された二次元コードを光学的に縮小して読み取ることを特徴とする請求項１または請求項２記載の薬剤分包装置。
【請求項４】
前記コード印刷手段は前記二次元コードを任意の拡大率で拡大印刷し、前記二次元コード読取手段は拡大印刷された二次元コードをそのまま光学的に読み取り、前記音声情報変換手段に入力するときにソフト的に縮小することを特徴とする請求項１または請求項２記載の薬剤分包装置。
【請求項５】
前記二次元コードは、ＱＲコードであることを特徴とする請求項１記載の薬剤分包装置。
【発明の詳細な説明】
【技術分野】
【０００１】  本発明は、薬剤分包装置に関し、詳しくは、分包紙に印字されている処方や注意事項や患者の氏名などの印字内容を判読できない視覚障害のある人や読み書きが困難な人などでも、印字内容を的確に把握確認できる分包印刷の改善に関するものである。
【背景技術】
【０００２】  従来から、薬剤分包装置として、たとえば特許文献１に記載されているように、薬剤を所定量ずつ包装する分包紙に、処方や服用にあたっての注意事項や患者の氏名などを、直接印字したり、視覚障害のある人のために点字刻印したり、これらが印字されたり刻印されたシールを貼付することが提案されている。【０００３】
【特許文献１】  特開２０００−１４２６０２
【発明の開示】
【発明が解決しようとする課題】
【０００４】  しかし、点字は１文字が６個の点で構成される６ビットデータであることから、基本的には最大でも２の６乗個、つまり、６４個の文字しか表すことができない。そこで、２つの点字を組み合わせて１文字を表すことも行われているが、分包紙のような限られた領域に刻印できる点字数はかなり制限されてしまうことになり、分包紙に印字される処方などと同等の内容を点字で刻印することは困難である。【０００５】  また、点字は、視覚障害のある人すべてが読めるものではなく、習得していない人は読むことができない。また、点字を習得していても、怪我や障害などで指先が使えない状態になる場合もある。【０００６】  また、老眼の人にとっては、分包紙のような限られた領域に印字されている文字は比較的小さいことから、判読しにくいことが多い。【０００７】  また、日常会話は支障なくできるものの、日本語の読み書きは発達途上という段階の外国人などにも、分包紙の印字内容を的確に理解することは困難と思われる。【０００８】  本発明は、このような従来の問題点に着目したものであり、その目的は、視覚障害のある人や印字内容の判読が困難な人などでも、分包紙の印字内容を的確に把握確認できる薬剤分包装置を提供することにある。
【課題を解決するための手段】
【０００９】  このような課題を達成する請求項１の発明は、
所定量の薬剤が包装される分包紙に、少なくとも包装される薬剤の処方を含む分包紙の印字内容を表す文字列がコード化された二次元コードを印刷するコード印刷手段と、
この二次元コードから包装される薬剤の処方を表す文字列を光学的に読み取る二次元コード読取手段と、
この二次元コード読取手段の文字列読取出力を音声情報に変換して出力する音声情報変換手段、
を含むことを特徴とする薬剤分包装置である。【００１０】  請求項２の発明は、請求項１記載の薬剤分包装置において、前記二次元コードは、ＳＰコードであることを特徴とする。【００１１】  請求項３の発明は、請求項１または請求項２記載の薬剤分包装置において、前記コード印刷手段は前記二次元コードを任意の比率で拡大印刷し、前記二次元コード読取手段は拡大印刷された二次元コードを光学的に縮小して読み取ることを特徴とする。【００１２】  請求項４の発明は、請求項１または請求項２記載の薬剤分包装置において、前記コード印刷手段は前記二次元コードを任意の比率で拡大印刷し、前記二次元コード読取手段は拡大印刷された二次元コードをそのまま光学的に読み取り、前記音声情報変換手段に入力するときにソフト的に縮小することを特徴とする。【００１３】  請求項５の発明は、請求項１記載の薬剤分包装置において、前記二次元コードは、ＱＲコードであることを特徴とする。
【発明の効果】
【００１４】  少なくとも包装される薬剤の処方を含む分包紙の印字内容が音声情報に変換して出力されるので、視覚障害のある人や印字内容の判読が困難な人などでも、分包紙の印字内容を的確に把握確認できる。【００１５】二次元コードを任意の比率で拡大印刷し、拡大印刷された二次元コードを光学的またはソフト的に縮小して音声情報変換を行うので、印字分解能が比較的低い汎用的なインクジェットヘッドであっても、二次元コードを印刷するコード印刷手段として用いることができる。
【発明を実施するための最良の形態】
【００１６】  以下、本発明について、図面を用いて説明する。図１は本発明を実施する装置の具体例を示す構成図である。図１において、軸１にロール状に巻回されている２ツ折りの分包紙２は、ガイドローラー３を介して、印刷部４→薬剤ホッパー部５→ヒートシール部６→打抜部７へ各ステップごとに断続的に送り出される。【００１７】  ２ツ折りの分包紙２は、純正の木材パルプのみで作られたグラシン紙にポリエチレンがラミネートされたグラシンポリや、セロファンにポリエチレンがコーティングされたセロポリなどが用いられる。【００１８】  印刷部４は、従来と同様に、図２に示すように、分包紙２の所定の領域２１に処方や服用にあたっての注意事項や患者の氏名などをたとえばカラーインクで印字するとともに、所定の領域２２や２３に少なくとも包装される薬剤の処方を含む分包紙の印字内容を表す文字列がコード化された二次元コードを印刷する。二次元コードを印刷するインクは、必ずしも黒に限るものではなく、二次元コードを読み取る受光素子の波長感度特性に応じて赤や青や黄その他の色であってもよい。【００１９】  このような印刷部４としては、従来と同様に、熱転写プリンタ、レーザープリンタ、インクジェットプリンタなどを用いることができるが、コスト的には印字分解能が公称３００ｄｐｉ程度の汎用インクジェットプリンタのインクジェットヘッドを用いることが望ましい。【００２０】  二次元コードとしては、各社や各団体から各種コードが提案され実用化されているが、本実施例では、たとえばコード化ソフトウェアが無償配布されるとともに専用のコード読取音声変換出力端末機がスピーチオ（登録商標）やテルミー（登録商標）として商品化されているＳＰコード（登録商標）を用いる。このＳＰコードによれば、１８ｍｍ角の切手サイズの面積に最大８００字の文字情報をコード化して印字でき、前述の専用端末磯で読み取ることにより文字列を音声で再生出力できる。したがって、分包紙２の所定の領域２１に印字される処方や服用にあたっての注意事項や患者の氏名などを音声で再生出力できる。なお、ＳＰコードは英語版もあるので、必要に応じて英語版を印刷してもよいし、一方の二次元コードは日本語版印刷にして他方の二次元コードを英語版印刷にしてもよい。【００２１】  ところで、ＳＰコードの印刷にあたっては、印字分解能の規格として最低でも６００ｄｐｉが必要とされている。本発明において、コスト的な観点から用いる印字分解能が３００ｄｐｉのインクジェットヘッドは、このままではＳＰコードの印刷規格を満たさないことになる。また、分包紙２の紙質によっても、インクのにじみ度合いに明らかな違いが見られる。グラシンポリの場合はインクドットが鮮明に印字されるが、インクジェット印字用の加工処理が施されていないセロポリではグラシンポリと比べると明らかにドットにじみが大きい。【００２２】  そこで、本発明では、図２に示すように、印字分解能が３００ｄｐｉのインクジェットヘッドで二次元コード２２や２３を任意の比率で拡大印刷し、拡大印刷された二次元コード２２や２３を図３に示すように二次元コード読取機３０で光学的に縮小して読み取る。たとえば二次元コード２２や２３を長さ２倍に拡大し���印刷すると、分包紙２には等価的に６００ｄｐｉの印字分解能で二次元コード２２や２３が印刷されることになる。【００２３】  図３に示す二次元コード読取機３０において、光学的読取部３１はたとえば２倍に拡大印刷された二次元コード２２や２３を１／２に縮小してコード読取部３２に入力する。文字列変換部３３は、コード読収部３２から入力されるコード信号を少なくとも包装される薬剤の処方を含む分包紙の印字内容を表す文字列に変換する。音声変換部３４は、文字列変換部３３から入力される文字列を音声信号に変換する。そして、音声出力部３５は、音声変換部３４から入力される音声信号を視覚障害のある人や印字内容の判読が困難な人などが聴取できる音圧レベルに増幅して出力する。【００２４】  再び図１において、印刷部４で所定の印刷が施された分包紙２は薬剤ホッパー部５に送られ、分包紙２の所定の領域には処方に基づく所定の薬剤（散剤、顆粒、錠剤、カプセル剤など）が所定量投入される。【００２５】  薬剤ホッパー部５での薬剤投入が終わると、分包紙２はヒートシール部６に送られる。ヒートシール部６は、２ツ折りされている分包紙２の２ツ折り部を底辺として、図２の網かけ表示していない左右側辺と上辺を加熱して溶着する。これにより、薬剤ホッパー部５で投入された薬剤は、分包紙２の所定領域２４に封入密閉されることになる。【００２６】  ヒートシール部６での加熱溶着が終わると、分包紙２は打抜部７に送られる。打抜部７は、側辺の加熱溶着部に、図２に示すような切り離しのためのミシン目２５と、二次元コード２２や２３の印刷があることを視覚障害のある人に触感で明確に伝えるための切り欠き２６を打抜き形成する。ここで、切り欠き２６は、分包紙２を開封するためのガイド溝としても機能するものであり、高齢者や手先に障害のある人が自力で分包紙２を開封することを支援することができる。【００２７】  なお、上記実施例では、分包紙２に２個の二次元コード２２と２３を設ける例を示したが、音声で伝えたい情報量が８００字未満の場合には１個だけ設ければよい。【００２８】  また、上記実施例では、拡大印刷された二次元コードを光学的読取部３１で光学的に縮小して音声情報変換を行う例を説明したが、光学的読取部３１は拡大印刷された二次元コードをそのまま光学的に読み取り、音声情報変換手段に入力するときにソフト的に縮小するようにしてもよい。【００２９】  また、印刷部４で用いるインクジェットヘッドは２００ｄｐｉ程度であってもよく、印刷拡大率に応じてズームレンズや固定レンズの組み合わせで任意の率で縮小すればよい。【００３０】  また、上記実施例では、分包紙２の送り方向に沿って、印刷部４→薬剤ホッパー部５→ヒートシール部６と配列する例を示したが、印刷部４の前段に分包紙２の両側辺のシールを行う別のヒートシール部を設け、ヒートシール部６では分包紙２の上辺のシールのみを行うようにしてもよい。【００３１】  これにより、印刷部４に送り込まれる分包紙２に安定した印刷に必要な剛性を与えることができるとともに、薬剤ホッパー部５で投入される薬剤が隣接する領域に移動することを完全に防ぐことができる。なお、印刷前に両側辺のシールを行うのにあたり、上辺近傍���シールしないことにより、分包紙２の薬剤投入領域の開口部を広くでき、薬剤ホッパー部５における薬剤投入を安定に行うことができる。【００３２】  また、上記実施例では、二次元コードとしてＳＰコードを用いる例を説明したが、近年各分野で広く用いられているＱＲコード（登録商標）を用いてもよい。【００３３】  ＱＲコードは、必要とされる印刷分解能がＳＰコードよりも比較的低いことから、汎用のインクジェットヘッドでも十分対応できる。【００３４】  また、印刷するＱＲコードの大きさはコード化したい情報量に応じて任意に設定できるので、システム設計における自由度が大きい。【００３５】  さらに、印刷されたＱＲコードの音声読み上げ機能が各社の携帯電話機端末に標準実装されつつあるので、専用端末機を準備しなくてもよく、高い利便性が得られる。【００３６】  また、図１の実施例では、印刷部４が走行する分包紙２に対して水平方向に印刷する例を示したが、垂直方向に印刷する構成であってもよい。【００３７】  また、二次元コードは、ＳＰコ−ドとＱＲコードを併用してもよい。これは、利用者によっては、ＳＰコードの専用端末機しかないとか携帯電話機端末しかないなどの利便性を考慮したものである。この場合、ＳＰコードを専用端末機で読み取るのにあたっては、切り欠き２６を目安にして、ＳＰコードが専用端末機に対して右下に位置するように配置する。【００３８】  ＳＰコードとＱＲコードを併用するのにあたっては、切り欠き２６の形状をＳＰコードとＱＲコードとで異ならせて、両者を判別できるようにすることが望ましい。純正のＳＰコードについては半円形とし、倍率を変えたＳＰコードの場合には純正のＳＰコードと区別するため半楕円形とし、ＱＲコードについては実施例のような半矩形にすればよい。【００３９】  以上説明したように、本発明によれば、視覚障害のある人や印字内容の判読が困難な人などでも、分包紙の印字内容を音声情報によって的確に把握確認できる薬剤分包装置が実現できる。
【図面の簡単な説明】
【００４０】
【図１】本発明を実施する装置の具体例を示す構成図である。
【図２】本発明における分包紙２の具体例図である。
【図３】本発明で用いる二次元コード読取機３０の具体例を示す構成ブロック図である。
【符号の説明】
【００４１】１  軸
２  分包紙
２１  印字領域
２２，２３  二次元コード
２４  薬剤封入密閉領域
２５  ミシン目
２６  切り欠き
３  ガイドローラー
４  印刷部
５  薬剤ホッパー部
６  ヒートシール部
７  打抜部
３０  二次元コード読取機
３１  光学的読取部
３２  コード読取部
３３  文字列変換部
３４  音声変換部
３５  音声出力部
【図１】
2009050672.tif 000003
【図２】
2009050672.tif 000004
【図３】
2009050672.tif 000005